(57)【要約】  平板、角がある、またはＴ形の建築要素（１）は、直交積層材の少なくとも二枚のパネル（２）を有し、このパネルは結合ストリップ（４）によりパネルの細面で互いに連結されている。この結合ストリップ（４）は、相互連結パネル（２）の蟻溝で正に係合する台形の断面形を持つ二つのリブ（５）での断面形を有する。結合ストリップ（４）は、例えば鏡面対称デザインの二つの楔形部分（１０および１１）から構成される。【選択図】図２
2016516925.tif 000002
【特許請求の範囲】
【請求項１】
二枚の隣接するパネル（２）間の接合面（３）で互いに相互連結されて建築要素（１）を形成する少なくとも二枚のパネル（２）から作られた建築要素（１）であって、パネル（２）に連結される結合ストリップ（４）がパネル（２）の間に提供されることを特徴とする上記建築要素。
【請求項２】
結合ストリップ（４）がパネル（２）の溝で摩擦により係合する、請求項１に記載の建築要素。
【請求項３】
結合ストリップ（４）が外側に延びる二つの台形リブ（５）を有し、このリブが対応するパネル（２）の蟻溝に受けられる請求項１または２に記載の建築要素。
【請求項４】
結合ストリップ（４）が本質的に十字形の断面を有する請求項１ないし３のいずれか１項に記載の建築要素。
【請求項５】
結合ストリップ（４）の交差リブ（６）が、互いに隣接するパネル（２）の端の間の接合面（３）に配置される請求項４に記載の建築要素。
【請求項６】
交差リブ（６）の自由端面（７）が、パネル（２）の外面（８）と同一平面にある請求項５に記載の建築要素。
【請求項７】
建築要素（１）のパネル（２）が、無垢材または集成材、例えば直交積層材からなる請求項１ないし６のいずれか１項に記載の建築要素。
【請求項８】
結合ストリップ（４）が、嵌合様式で楔形に形成されている二つの部分（１０，１１；１３，１４）からなる請求項１ないし７のいずれか１項に記載の建築要素。
【請求項９】
部分（１０，１１；１３，１４）が互いに隣接する平面（１２）が、外側に延びる結合ストリップ（４）のリブ（５）を貫通する請求項８に記載の建築要素。
【請求項１０】
平面（１２）が、結合ストリップ（４）の縦伸びに対して斜めに走るように方向付けられている請求項８に記載の建築要素。
【請求項１１】
結合ストリップ（４）の一つの部分（１０または１１；１３または１４）が、そのより厚い末端（１５）を、結合ストリップ（４）のもう一つの部分（１１または１０；１４または１３）のより薄い末端（１６）の領域に配置する、請求項８ないし１０のいずれか１項に記載の建築要素。
【請求項１２】
建築要素（１）中で相互連結されて少なくとも一つの直線的連結（２１）、少なくとも一つの角の連結（２２）および／または少なくとも一つのＴ−連結（２３）を形成するパネル（２）が提供される、請求項１ないし１１のいずれか１項に記載の建築要素。
【発明の詳細な説明】
【技術分野】
【０００１】
本発明は、請求項１の導入部の特徴を持つ建築要素に関する。
【背景技術】
【０００２】
上述の種類の相互連結される少なくとも二枚のパネルを含む建築要素は、当該技術分野では周知である。隣接するパネルを細面で連結して建築要素を形成するために、様々な提案がなされてきた。
【発明の概要】
【発明が解決しようとする課題】
【０００３】
本発明の目的は、パネルの簡便かつ信頼性のある連結を可能とする上述の種類の建築要素を利用できるようにすることである。
【課題を解決するための手段】
【０００４】
この目的は請求項１の特徴を有する建築要素で本発明に従い達成される。
【０００５】
本発明の好適かつ有利な形態は、従属項の主題である。
【０００６】
本発明による建築要素は少なくとも二枚のパネルを含み、これによるパネルの材料として、木材（軟材、硬材、無垢材または集成材）、木質複合材、特に直交積層材、ならびに上記材料の組み合わせが考えられる。
【０００７】
本発明による建築要素に含まれる少なくとも二枚のパネルは、以下の寸法を有することができる：
幅：２５０−３，２００ｍｍ．
厚さ：６０−４００ｍｍ．
長さ：最高２０，０００ｍｍ．
【０００８】
例えば互いに向き合う面の溝、例えば建築要素のパネルの隣接する細面（端）内で摩擦により係合される結合ストリップ（ｃｏｕｐｌｉｎｇ  ｓｔｒｉｐ）によるパネルの連結（結合）で、簡便かつ信頼性のある連結が生じる。
【０００９】
この場合、本発明の構成内で結合ストリップを材料である木材（例えば直交積層材）からパネルと丁度同じように生産することが可能である。結合ストリップは、硬材、軟材、無垢材または集成材、あるいはプラスチックから生産することができる。
【００１０】
本発明による建築要素のパネルは、相互連結されて平板の、角がある、Ｔ形の、または自己閉鎖（環状）の建築要素を形成することができる。
【００１１】
好適な態様では、結合ストリップは、反対方向を向き、そして外側に延びる二つのリブを有し、このリブが建築要素のパネルの細面で対応する蟻溝に係合するように提供される。蟻溝は例えばミリングにより作成される。
【００１２】
本発明の別の態様では、結合ストリップが本質的に十字形断面に成形されるように提供され、これにより延長するリブ間で成形物の両側に突出する交差リブが提供され、この交差リブは建築要素のパネルの細面間に配置される。
【００１３】
この場合、交差リブは建築要素のパネルの外面と同一面にある外面を有することが好適である。
【００１４】
本発明による建築要素は、パネルにより簡便な様式で生産されることができ、特に直交積層材から作られるパネルは、必要な寸法に切断され、次いで特に蟻溝（連結スロット）が広い面および／または細面（端）に作成され（例えばミリングにより）、すなわちここでパネルが相互連結されて建築要素が形成されることになる。
【００１５】
建築要素を形成するために、相互連結されるパネル中への結合ストリップの圧入は、結合ストリップおよび／またはパネルが木材からなり（本発明の構成内で好適である場合）、そして木材が膨張する時、すなわち湿度の上昇で容積が増すと、例えば構築部位で広がる（ｐｒｅｖａｉｌ）可能性があるので、難しくなる恐れがある。
【００１６】
場合により生じるこの問題を解決するために、本発明の一態様では二つの隣接部分から結合ストリップを形成することが提案される。これらの部分は互いに連続または相殺しながら（ｏｆｆｓｅｔ）パネルの溝に挿入されることができる。
【００１７】
この場合、結合ストリップの部分はリブの方向に走る平面に沿って隣接することが好ましい。
【００１８】
たとえ結合ストリップの木材がパネルの木材より湿度が高い場合でも、さらに挿入し易くするために、結合ストリップの部分を楔形に設計することができる。この場合、結合ストリップの部分を楔形嵌合様式で（円錐）にすることが好適である。
【００１９】
パネルは、リブが溝の中で広がるように、隣接するパネル（ａｄｊａｃｅｎｔ  ｐａｎｅｌ）の溝に圧入される結合ストリップにより梁中央の位置又は他で、建築要素を形成するよう相互連結することができる。パネルを相互連結して建築要素を形成するための結合ストリップの溝への圧入は、例えば油圧で操作（ｈｙｄｒａｕｌｉｃａｌｌｙ−ｏｐｅｒａｔｅｄ）される道具またはバイブロハンマーなどの通例のハンマーで行うことができる。
【００２０】
本発明の建築要素は、特に以下に挙げる利点を有することができる：
−円錐形に分割され、すなわち楔形になり得る結合ストリップによる安定な連結（外部スプリング）、
−自己延伸（ｓｅｌｆ−ｓｔｒｅｔｃｈｉｎｇ）システム、ここでパネルは追加の補助なしで永久に相互連結される、
−全長にわたり摩擦によるしっかりとした木材／木材連結、
−大きい長さおよび高さでも容易な使用性、そして
−必要に応じて、連結は結合（ｂｏｎｄｉｎｇ）および／またはねじ込みにより、さらに極めて簡単に強化することができる。
【００２１】
本発明のさらなる詳細および特徴は、図面に基づく以下の態様の記載から次のとおりである。
【図面の簡単な説明】
【００２２】
【図１】二枚のパネルからなる平面の建築要素を一図面で示す。
【図２】図１の建築要素を斜視図で示す。
【図３】建築要素を形成するための二枚のパネルの結合領域の詳細を示す。
【図４】二つの部分からなる結合ストリップを示す。
【図５】分割された結合ストリップの別の態様を示す。
【図６】直線状の−、角の−およびＴ形−連結を構成する建築要素を示す。
【発明を実施するための形態】
【００２３】
図１および２に示す態様では、建築要素１は直交積層材から作られた二枚のパネル２、すなわち例えば三層の木版によりなるパネル２からなり、これにより隣接の層の板は互いに直角に交差している。接合面３、すなわち建築要素１の二枚のパネル２がそれらの細面で互いに接合する領域で、パネル２は結合ストリップ４を使用して相互連結されるので、直線的連結２１（平板の建築要素１）が存在する。
【００２４】
図３に示す態様では、結合ストリップ４は本質的に円形の断面をもつ（硬）材からなる成形物である。結合ストリップ４は、それらの自由端に延びる本質的に台形の断面の二つのリブ５を有する。リブ５の間に、互いに平行し、そして成形物４から反対方向に突出する外側面を持つ二つの交差リブ６が提供される。
【００２５】
図３に示すように、結合ストリップ４はそのリブ５が、相互連結されることになる建築要素１のパネル２の細面（端）のアンダーカットとして設計された溝に挿入され、これにより交差リブ６は、互いに隣接し、そして互いに向き合うパネル２の細面（端）間に配置される。
【００２６】
本発明の構成内で、リブ５が溝の中の摩擦により係合するように、図３の例に示すようなリブ５および溝およびパネル２の細面は少なくとも本質的に同一の側面として描かれることが好ましい。
【００２７】
図３は交差リブ６の自由端面７が建築要素１のパネル２の外面８と同一平面にあることを表す。
【００２８】
平で、しかも安定したパネル２の連結は、建築要素１のパネル２間に示す結合ストリップ４の態様および配置により作られる。
【００２９】
図４に示す結合ストリップ４は、リブ５および交差リブ６を持つ図３に示す結合ストリップ４に対応する断面を有する。図４に示す結合ストリップ４は、二つの部分１０および１１からなる。図４の結合ストリップ４の部分１０および１１が隣接する平面１２は、斜めに方向付けられて結合ストリップ４の縦伸びを形成する。平面１２のこの方向付けにより、結合ストリップ４の部分１０および１１は、それらが互いに補完し合って結合ストリップ４を形成するように嵌合様式で楔形に形成される。また図４は、平面１２がリブ５を貫通することによりリブ５を分割するように方向付けられていることを表す。
【００３０】
図５に示す結合ストリップ５の態様は、本質的に図４の結合ストリップ４に相当するが、交差リブ６を持たない。
【００３１】
また図５の結合ストリップ４は、二つの部分１３および１４からなり、これらは図４の結合ストリップ４の部分１０および１１についてすでに記載したように、平面１２の方向により楔形に形成されている。
【００３２】
部分１０，１１または１３，１４は、一つの部分のより厚い末端１５がもう一つの部分のより薄い部分１６の領域に配置されるように、使用の位置では互いに隣接している。
【００３３】
図４および５の例で示すように結合ストリップ４の分割された態様では、二枚のパネル２を連結して建築要素１を形成するための結合ストリップ４の使用により、最初にただ一つの部分１０または１１（図４）あるいは１３または１４（図５）を溝中へ挿入でき、この溝は相互連結されることになるパネル２がアンダーカットされるように設計されている。これが行われた後、第二の部分１１または１０あるいは１４または１３が挿入され、これは結合ストリップ４の部分１０および１１または１３および１４の楔形の設計により、それほど力を用いなくても可能である。
【００３４】
別の方法として、結合ストリップ４の部分１０および１１または１３および１４は、パネル２の蟻溝に、互いにそれらの縦伸び方向に向かって相殺（図４及び図５参照）しながら一緒に挿入されることができ、これにより場合により打撃具（例えばハンマー、バイブロハンマー）の使用により、結合ストリップ４の未だ突出している部分は、最終的に結合ストリップ４の部分１１および１２または１３および１４の末端がパネル２の端からもはや出なくなるまで挿入され、これでパネル２は今、連結されて建築要素１を形成し、このパネルは溝が提供されるパネル２の細面を斜めに走る。
【００３５】
図６に示す本発明による建築要素１は、二つの直線的連結２０および２１、角の連結２２およびＴ形連結２３を有する。
【００３６】
連結されて建築要素１を形成するパネル２は、図６で表すように角の連結２２の領域で互いに（直）角である。この場合、結合ストリップ４が係合する溝は、パネル２の前面（細面）ではなく、むしろパネル２の広い面の端領域の一つのパネル２に提供される。角の連結２２のもう一つのパネル２では、溝は細面に提供される。
【００３７】
パネル２の広い面の溝が、パネル２の端の領域に提供されていない場合、図６の右に示すように本質的にＴ形に設計された建築要素１の連結２３（「Ｔ形−連結」）が、平面図で示される。
【００３８】
まとめると、本発明の態様は以下のように記載することができる：
平面の、角のある、またはＴ形の建築要素１は、少なくとも二枚のパネル２、特に結合ストリップ４を使用して相互連結される直交積層材からなるパネル２を有する。結合ストリップ４は台形の断面を持つ二つのリブ５の断面を有し、これらは相互連結されるパネル２内の蟻溝で摩擦により係合する。結合ストリップ４は、例えば嵌合様式で楔形に形成された二つの部分１０および１１からなる。
【図１】
2016516925.tif 000003
【図２】
2016516925.tif 000004
【図３】
2016516925.tif 000005
【図４】
2016516925.tif 000006
【図５】
2016516925.tif 000007
【図６】
2016516925.tif 000008
【手続補正書】
【提出日】平成27年9月28日(2015.9.28)
【手続補正１】
【補正対象書類名】明細書
【補正対象項目名】全文
【補正方法】変更
【補正の内容】
【発明の詳細な説明】
【技術分野】
【０００１】
本発明は、請求項１の導入部の特徴を持つ建築要素に関する（特許文献１）。
【背景技術】
【０００２】
上述の種類の相互連結される少なくとも二枚のパネルを含む建築要素は、当該技術分野では周知である。隣接するパネルを細面で連結して建築要素を形成するために、様々な提案がなされてきた。
【０００３】
建築要素を形成するために相互連結されるパネルへの結合ストリップ（ｃｏｕｐｌｉｎｇ  ｓｔｒｉｐ）の圧入は、結合ストリップおよび／またはパネルが木材からなり、そして木材が膨張する時、すなわち湿度が上昇する場合に容積が増すと、例えば構築部位で広がる（ｐｒｅｖａｉｌ）可能性があるので、難しくなる恐れがある。
【０００４】
特許文献１は、前形成されたパネルの連結に関し、これは結合ストリップの補助により細面の溝で相互連結することになるパネルを摩擦により係合する。特許文献１の場合、結合ストリップは中空の成形物であり、これは一体型ユニットとして設計され、そしてパネルが相互連結される時に溝に圧入されることになる。
【０００５】
特許文献２は、パネルに対するコネクターに関し、これは互いに平らに存在し、そして相互連結されることができる。この場合、連結に提供される成形物が最初に溝に受け入れられ、そしてそれらの平面は溝が提供される構成要素の表面と同一面に存在する。互いに隣接する表面を持つ二つの構成要素は、連結される時だけ、パネルが相互連結されて互いに平らになるように、９０°回転して挿入される結合ストリップとなる。特許文献２によるコネクターの形状は、その断面が全体的に等しい寸法になることが必要であり、そうでなければ平面は相互連結されることになる構成要素の表面と同一平面となることができないからである。
【先行技術文献】
【特許文献】
【０００６】
【特許文献１】欧州特許第０１１７２０５Ａ号明細書
【特許文献２】国際公開第９９／４０３７２０号パンフレット
【発明の概要】
【発明が解決しようとする課題】
【０００７】
本発明の目的は、パネルの簡便かつ信頼性のある連結を可能とする上述の種類の建築要素を利用できるようにすることである。
【課題を解決するための手段】
【０００８】
この目的は請求項１の特徴を有する建築要素で本発明に従い達成される。
【０００９】
本発明の好適かつ有利な形態は、従属項の主題である。
【００１０】
本発明による建築要素は少なくとも二枚のパネルを含み、これによるパネルの材料として、木材（軟材、硬材、無垢材または集成材）、木質複合材、特に直交積層材、ならびに上記材料の組み合わせが考えられる。
【００１１】
上記の問題は、二つの隣接する部分から形成されている結合ストリップにより本発明による建築要素を用いて解決される。これらの部分は、パネルの溝に連続して、または互いに相殺しながら（ｏｆｆｓｅｔ）挿入されることができる。
【００１２】
結合ストリップの部分の挿入は、結合ストリップの部分が嵌合様式で楔形（円錐形）に設計されているので、たとえ結合ストリップの木材がパネルより水分を含んでいても促進される。
【００１３】
本発明による建築要素に含まれる少なくとも二枚のパネルは、以下の寸法を有することができる：
幅：２５０−３，２００ｍｍ．
厚さ：６０−４００ｍｍ．
長さ：最高２０，０００ｍｍ．
【００１４】
互いに向き合う面、例えば建築要素のパネルの隣接する細面（端）内の溝で、摩擦により係合する結合ストリップによるパネルの連結（結合）で、簡便かつ信頼性のある連結が生じる。
【００１５】
この場合、本発明の構成内で結合ストリップを材料である木材（例えば直交積層材）からパネルと丁度同じように生産することが可能である。結合ストリップは、硬材、軟材、無垢材または集成材、あるいはプラスチックから生産することができる。
【００１６】
本発明による建築要素のパネルは、相互連結されて平らの、角がある、Ｔ形の、または自己閉鎖（環状）の建築要素を形成することができる。
【００１７】
本発明の場合、反対方向を向き、そして外側に延びる二つのリブを有する結合ストリップが提供され、このリブは建築要素のパネルの細面で対応する蟻溝に係合する。蟻溝は例えばミリングにより作成される。
【００１８】
本発明の一つの態様では、本質的に十字形断面を持つ成形物である結合ストリップが提
供され、これにより延長するリブ間に、結合ストリップの両側に突出する交差リブが提供され、この交差リブは建築要素のパネルの細面間に配置される。
【００１９】
この場合、交差リブは建築要素のパネルの外面と同一面にある外面を有することが好適である。
【００２０】
本発明による建築要素は、パネルにより簡便な様式で生産されることができ、特に直交積層材から作られるパネルは、必要な寸法に切断され、次いで蟻溝（連結スロット）が広い面および／または細面（端）に作成され（例えばミリングにより）、すなわちここでパネルが相互連結されて建築要素が形成されることになる。
【００２１】
結合ストリップの部分はリブの方向に走る平面に沿って隣接することが好適である。
【００２２】
パネルは、リブが溝の中で広がるように、隣接するパネル（ａｄｊａｃｅｎｔ  ｐａｎｅｌ）の溝に圧入される結合ストリップにより梁中央の位置又は他で、建築要素を形成するよう相互連結することができる。パネルを相互連結して建築要素を形成するための結合ストリップの溝への圧入は、例えば油圧で操作（ｈｙｄｒａｕｌｉｃａｌｌｙ−ｏｐｅｒａｔｅｄ）される道具またはバイブロハンマーなどの通例のハンマーで行うことができる。
【００２３】
本発明の建築要素は、特に以下に挙げる利点を有することができる：
−円錐形に分割され、すなわち楔形になり得る結合ストリップによる安定な連結（外部スプリング）、
−自己延伸（ｓｅｌｆ−ｓｔｒｅｔｃｈｉｎｇ）システム、ここでパネルは追加の補助なしで永久に相互連結される、
−全長にわたり摩擦によるしっかりとした木材／木材連結、
−大きい長さおよび高さでも容易な使用性、そして
−必要に応じて、連結は結合（ｂｏｎｄｉｎｇ）および／またはねじ込みにより、さらに極めて簡単に強化することができる。
【００２４】
本発明のさらなる詳細および特徴は、図面に基づく以下の態様の記載から次のとおりである。
【図面の簡単な説明】
【００２５】
【図１】二枚のパネルからなる平面の建築要素を一図面で示す。
【図２】図１の建築要素を斜視図で示す。
【図３】建築要素を形成するための二枚のパネルの結合領域の詳細を示す。
【図４】二つの部分からなる結合ストリップを示す。
【図５】分割された結合ストリップの別の態様を示す。
【図６】直線状の−、角の−およびＴ形−連結を構成する建築要素を示す。
【発明を実施するための形態】
【００２６】
図１および２に示す態様では、建築要素１は直交積層材から作られた二枚のパネル２、すなわち例えば三層の木版によりなるパネル２からなり、これにより隣接の層の板は互い
に直角に交差している。接合面３、すなわち建築要素１の二枚のパネル２がそれらの細面で互いに接合する領域で、パネル２は結合ストリップ４を使用して相互連結されるので、直線的連結２１（平板の建築要素１）が存在する。
【００２７】
図３に示す態様では、結合ストリップ４は本質的に円形の断面をもつ（硬）材からなる成形物である。結合ストリップ４は、それらの自由端に延びる本質的に台形の断面の二つのリブ５を有する。リブ５の間に、互いに平行し、そして成形物４から反対方向に突出する外側面を持つ二つの交差リブ６が提供される。
【００２８】
図３に示すように、結合ストリップ４はそのリブ５が、相互連結されることになる建築要素１のパネル２の細面（端）のアンダーカットとして設計された溝に挿入され、これにより交差リブ６は、互いに隣接し、そして互いに向き合うパネル２の細面（端）間に配置される。
【００２９】
本発明の構成内で、リブ５が溝の中の摩擦により係合するように、図３の例に示すようなリブ５および溝およびパネル２の細面は少なくとも本質的に同一の側面として描かれることが好ましい。
【００３０】
図３は交差リブ６の自由端面７が建築要素１のパネル２の外面８と同一平面にあることを表す。
【００３１】
平で、しかも安定したパネル２の連結は、建築要素１のパネル２間に示す結合ストリップ４の態様および配置により作られる。
【００３２】
図４に示す結合ストリップ４は、リブ５および交差リブ６を持つ図３に示す結合ストリップ４に対応する断面を有する。図４に示す結合ストリップ４は、二つの部分１０および１１からなる。図４の結合ストリップ４の部分１０および１１が隣接する平面１２は、斜めに方向付けられて結合ストリップ４の縦伸びを形成する。平面１２のこの方向付けにより、結合ストリップ４の部分１０および１１は、それらが互いに補完し合って結合ストリップ４を形成するように嵌合様式で楔形に形成される。また図４は、平面１２がリブ５を貫通することによりリブ５を分割するように方向付けられていることを表す。
【００３３】
図５に示す結合ストリップ５の態様は、本質的に図４の結合ストリップ４に相当するが、交差リブ６を持たない。
【００３４】
また図５の結合ストリップ４は、二つの部分１３および１４からなり、これらは図４の結合ストリップ４の部分１０および１１についてすでに記載したように、平面１２の方向により楔形に形成されている。
【００３５】
部分１０，１１または１３，１４は、一つの部分のより厚い末端１５がもう一つの部分のより薄い部分１６の領域に配置されるように、使用の位置では互いに隣接している。
【００３６】
図４および５の例で示すように結合ストリップ４の分割された態様では、二枚のパネル２を連結して建築要素１を形成するための結合ストリップ４の使用により、最初にただ一つの部分１０または１１（図４）あるいは１３または１４（図５）を溝中へ挿入でき、この溝は相互連結されることになるパネル２がアンダーカットされるように設計されている。これが行われた後、第二の部分１１または１０あるいは１４または１３が挿入され、これは結合ストリップ４の部分１０および１１または１３および１４の楔形の設計により、それほど力を用いなくても可能である。
【００３７】
別の方法として、結合ストリップ４の部分１０および１１または１３および１４は、パネル２の蟻溝に、互いにそれらの縦伸び方向に向かって相殺（図４及び図５参照）しながら一緒に挿入されることができ、これにより場合により打撃具（例えばハンマー、バイブロハンマー）の使用により、結合ストリップ４の未だ突出している部分は、最終的に結合ストリップ４の部分１１および１２または１３および１４の末端がパネル２の端からもはや出なくなるまで挿入され、これでパネル２は今、連結されて建築要素１を形成し、このパネルは溝が提供されるパネル２の細面を斜めに走る。
【００３８】
図６に示す本発明による建築要素１は、二つの直線的連結２０および２１、角の連結２２およびＴ形連結２３を有する。
【００３９】
連結されて建築要素１を形成するパネル２は、図６で表すように角の連結２２の領域で互いに（直）角である。この場合、結合ストリップ４が係合する溝は、パネル２の前面（細面）ではなく、むしろパネル２の広い面の端領域の一つのパネル２に提供される。角の連結２２のもう一つのパネル２では、溝は細面に提供される。
【００４０】
パネル２の広い面の溝が、パネル２の端の領域に提供されていない場合、図６の右に示すように本質的にＴ形に設計された建築要素１の連結２３（「Ｔ形−連結」）が、平面図で示される。
【００４１】
まとめると、本発明の態様は以下のように記載することができる：
平面の、角のある、またはＴ形の建築要素１は、少なくとも二枚のパネル２、特に結合ストリップ４を使用して相互連結される直交積層材からなるパネル２を有する。結合ストリップ４は台形の断面を持つ二つのリブ５の断面を有し、これらは相互連結されるパネル２内の蟻溝で摩擦により係合する。結合ストリップ４は、例えば嵌合様式で楔形に形成された二つの部分１０および１１からなる。
【手続補正２】
【補正対象書類名】特許請求の範囲
【補正対象項目名】全文
【補正方法】変更
【補正の内容】
【特許請求の範囲】
【請求項１】
少なくとも二枚のパネル（２）から作られた建築要素（１）であって、パネルは二枚の隣接するパネル（２）の広い面および／または細面間の接合面（３）で互いに相互連結されて建築要素（１）を形成し、これによりパネル（２）が相互連結されて建築要素（１）を形成することになる広い面および／または細面に、パネル（２）に連結される結合ストリップ（４）がパネル（２）間に提供され、これにより結合ストリップ（４）は結合ストリップ（４）によるパネル（２）の溝中の摩擦により係合し、結合ストリップ（４）は外側に延びる二つの台形リブ（５）を有し、このリブはパネル（２）の対応する蟻溝に受けられ、ここで結合ストリップ（４）は嵌合様式で楔形に形成された二つの部分（１０，１１，１３，１４）からなり、そして結合ストリップ（４）の一つの部分（１０または１１：１３または１４）は、より厚い末端（１５）が結合ストリップ（４）のもう一つの部分（１１または１０：１４または１３）のより薄い末端（１６）の領域に配置されることを特徴とする、上記建築要素（１）。
【請求項２】
結合ストリップ（４）が本質的に十字形の断面を有し、これにより延長するリブ（５）間に、結合ストリップ（４）の両側に突出する交差リブ（６）が提供される請求項１に記載の建築要素。
【請求項３】
結合ストリップ（４）の交差リブ（６）が、互いに隣接するパネル（２）の端の間の接合面（３）に配置される請求項２に記載の建築要素。
【請求項４】
交差リブ（６）の自由端面（７）が、パネル（２）の外面（８）と同一平面にある請求項３に記載の建築要素。
【請求項５】
建築要素（１）のパネル（２）が、無垢材または集成材、例えば直交積層材からなる請求項１ないし４のいずれか１項に記載の建築要素。
【請求項６】
部分（１０，１１；１３，１４）が互いに隣接する平面（１２）が、外側に延びる結合ストリップ（４）のリブ（５）を貫通する請求項１に記載の建築要素。
【請求項７】
平面（１２）が、結合ストリップ（４）の縦伸びに対して斜めに走るように方向付けられている請求項６に記載の建築要素。
【請求項８】
建築要素（１）中で相互連結されて少なくとも一つの直線的連結（２１）、少なくとも一つの角の連結（２２）および／または少なくとも一つのＴ−連結（２３）を形成するパネル（２）が提供される、請求項１ないし７のいずれか１項に記載の建築要素。
【国際調査報告】
2016516925.tif 000009
2016516925.tif 000010
2016516925.tif 000011
2016516925.tif 000012
2016516925.tif 000013
2016516925.tif 000014